(57)【要約】【課題】  シーツの着脱が簡単で、ばねを使用することなくシーツの後端部及び両端縁部をトイレ本体部に確実に固定することができ、その上シーツの着脱が容易な犬トイレを提供する。【解決手段】  シーツを取付ける床側部材２と壁側部材３とからなるＬ字状の本体部１と、この本体部１の床側部材２の後部に設けられ表側を内側にして重ね合わせたシーツの後縁部を固定する後部係止具４と、床側部材２の前部に設けられ一方のシーツの縁部を固定する前部係止具６と、壁側部材３の上部に設けられ他方のシーツの上部を固定する上部係止具７ａ，７ｂとを備えた。【選択図】        図１
2006101830.tif 000002
【特許請求の範囲】
【請求項１】
シーツを取付ける床側部材と壁側部材とからなるＬ字状の本体部を有し、
該本体部の前記床側部材の後部に前記シーツを固定する後部係止具を設けたことを特徴とする犬トイレ。
【請求項２】
シーツを取付ける床側部材と壁側部材とからなるＬ字状の本体部と、
該本体部の床側部材の後部に設けられ表側を内側にして重ね合わせたシーツの後縁部を固定する後部係止具と、
前記床側部材の前部に設けられ前記一方のシーツの前縁部を固定する前部係止具と、
前記壁側部材の上部に設けられ前記他方のシーツの上部を固定する上部係止具とを備えたことを特徴とする犬トイレ。
【請求項３】
前記後部係止具、前部係止具及び上部係止具を前記床側部材及び壁側部材にそれぞれ回動可能に軸支したことを特徴とする請求項２記載の犬トイレ。
【請求項４】
前記床側部材の後部に形成したシーツ受け部と、該シーツ受け部の横方向に設けた複数のシーツ固定ピンと、両側壁に設けた軸受部とによって後部係止具取付部を形成し、該後部係止具取付部に取付けられる後部係止具を、前記シーツ固定ピンに対応した凸部により波形に形成されたシーツ押え部と、前記軸受部に支持される支持軸を有し、前記シーツ押え部の両端部に設けられた取付腕とによって構成したことを特徴とする請求項２又は３記載の犬トイレ。
【請求項５】
前記床側部材の前部側に横方向に設けられた複数のシーツ固定ピンと、両端部に軸受穴が設けられ前記床側部材の前部に突設された装着部とによって前部係止具取付部を形成し、該前部係止具取付部に取付けられる前部係止具を、前記軸受穴に嵌合する支持軸を有し前記装着部に取付けられる取付部と、天板と周壁を有し前記取付部の両端部に設けた嵌合部と、前記シーツ固定ピンに対応して前記取付部の下面に設けた嵌合穴とによって構成したことを特徴とする請求項２〜５のいずれかに記載の犬トイレ。
【請求項６】
前記壁側部材の上部両側に支持軸を有する上部係止具取付部を設けると共に、前記壁側部材の前記上部係止具取付部の近傍にシーツ固定ピンを設け、前記上部係止具取付部に取付けられる上部係止具を、天板及び周壁と、該周壁に設けられ前記支持軸に嵌合する軸受部と、前記シーツ固定ピンに対応して設けられた嵌合穴とによって構成したことを特徴とする請求項２〜６のいずれかに記載の犬トイレ。
【請求項７】
周壁を有し平坦なシーツ取付部の後部側の横方向に複数のシーツ固定ピンが設けられたシーツ受け部、及び前記周壁の両側壁の後部側に設けられた軸受部からなる後部係止具取付部を有する本体部と、
前記シーツ固定ピンに対応した凸部により波形に形成されたシーツ押え部、及び該シーツ押え部の両端部に設けられ前記本体部の軸受部に回動可能に支持された取付腕からなる後部係止具とを備えたことを特徴とする犬トイレ。
【請求項８】
前記シーツ固定ピンの間にシーツをガイドするガイドリブを設けたことを特徴とする請求項４又は７記載の犬トイレ。
【請求項９】
前記後部係止具の波形のシーツ押え部の両端部の凸部内に固定リブを設け、該固定リブが前記後部係止具を閉じたときに前記シーツ固定ピンに近接して位置するように構成したことを特徴とする請求項４又は７記載の犬トイレ。
【請求項１０】
前記後部係止具の波形のシーツ押え部の両端部の凸部の内のり幅を他の凸部の内のり幅より狭く形成し、前記後部係止具を閉じたときに前記両端部の凸部の内壁が前記シーツ固定ピンに近接して位置するように構成したことを特徴とする請求項４又は７記載の犬トイレ。
【請求項１１】
前記後部係止具を、波形のシーツ押え部に代えて、係止具本体の前部側の下面に複数の平板状のシーツ押えリブを設け、前記後部係止具を閉じたときに前記シーツ押えリブが前記シーツ固定ピンに近接して位置するように構成したことを特徴とする請求項４又は７記載の犬トイレ。
【発明の詳細な説明】
【技術分野】
【０００１】
本発明は犬トイレに関するものである。
【背景技術】
【０００２】
この種の犬トイレに、本体部が複数に分割されて互いに連結されると共に、２つの本体部が接合する際にシーツを挟んで支持するシーツ支持手段を備えた折り畳み式ペットトレーがある（例えば、特許文献１参照）。
【０００３】
【特許文献１】実用新案登録第３０７８８０７号公報（第４−７頁、図１−１８）
【発明の開示】
【発明が解決しようとする課題】
【０００４】
特許文献１の折畳み式ペットトレーは、縦壁側本体部と床側本体部を結合する際に、シーツ支持部の固定用凸部と固定用凹部との間にシーツを挿入し、縦壁側本体部を開いて両者を嵌合させることによりシーツを固定するようにしているので、シーツの着脱作業がきわめて面倒である。
また、立設した縦壁側本体部側に折返えしたシーツの上部を、縦壁側シーツ固定部に押込んで固定するようにしているので、シーツが外れ易いという問題がある。
【０００５】
また、本体部に設けた受け板部の当接面と、本体部の前面側に回動可能に支持された当て板部の当接面には互いに噛み合う凹凸が設けられており、これら両当接面の凹凸によってシーツを噛み込むように挟んで固定するようにしているため、シーツの取付けにあたって、シーツの縁部がしわになったり破れたりするおそれがある。
さらに、シーツを固定するバックルにばねを使用しているので、ばねが切損したりして故障し易いという問題もある。
【０００６】
本発明は、上記の課題を解決するためになされたもので、シーツの着脱が簡単で、ばねを使用することなくシーツの後縁部及び両端縁部をトイレ本体部に確実に固定することのでき、その上シーツの着脱が容易な犬トイレを提供することを目的としたものである。
【課題を解決するための手段】
【０００７】
本発明に係る犬トイレは、シーツを取付ける床側部材と壁側部材とからなるＬ字状の本体部を有し、該本体部の前記床側部材の後部に前記シーツを固定する後部係止具を設けたものである。
【０００８】
また、本発明に係る犬トイレは、シーツを取付ける床側部材と壁側部材とからなるＬ字状の本体部と、該本体部の床側部材の後部に設けられ表側を内側にして重ね合わせたシーツの後縁部を固定する後部係止具と、前記床側部材の前部に設けられ前記一方のシーツの前縁部を固定する前部係止具と、前記壁側部材の上部に設けられ前記他方のシーツの上部を固定する上部係止具とを備えたものである。
【０００９】
上記の犬トイレの後部係止具、前部係止具及び上部係止具を前記床側部材及び壁側部材にそれぞれ回動可能に軸支した。
【００１０】
上記の犬トイレの床側部材の後部に形成したシーツ受け部と、該シーツ受け部の横方向に設けた複数のシーツ固定ピンと、両側壁に設けた軸受部とによって後部係止具取付部を形成し、該後部係止具取付部に取付けられる後部係止具を、前記シーツ固定ピンに対応した凸部により波形に形成されたシーツ押え部と、前記軸受部に支持される支持軸を有し、前記シーツ押え部の両端部に設けられた取付腕とによって構成した。
【００１１】
上記の犬トイレの床側部材の前部側に横方向に設けられた複数のシーツ固定ピンと、両端部に軸受穴が設けられ前記床側部材の前部に突設された装着部とによって前部係止具取付部を形成し、該前部係止具取付部に取付けられる前部係止具を、前記軸受穴に嵌合する支持軸を有し前記装着部に取付けられる取付部と、天板と周壁を有し前記取付部の両端部に設けた嵌合部と、前記シーツ固定ピンに対応して前記取付けの下面に設けた嵌合穴とによって構成した。
【００１２】
上記の犬トイレの壁側部材の上部両側に支持軸を有する上部係止具取付部を設けると共に、前記壁側部材の前記上部係止具取付部の近傍にシーツ固定ピンを設け、前記上部係止具取付部に取付けられる上部係止具を、天板及び周壁と、該周壁に設けられ前記支持軸に嵌合する軸受部と、前記シーツ固定ピンに対応して設けられた嵌合穴とによって構成した。
【００１３】
本発明に係る犬トイレは、周壁を有し平坦なシーツ取付部の後部側の横方向に複数のシーツ固定ピンが設けられたシーツ受け部、及び前記周壁の両側壁の後部側に設けられた軸受部からなる後部係止具取付部を有する本体部と、前記シーツ固定ピンに対応した凸部により波形に形成されたシーツ押え部、及び該シーツ押え部の両端部に設けられ前記本体部の軸受部に回動可能に支持された取付腕からなる後部係止具とを備えたものである。
【００１４】
上記犬トイレのシーツ固定ピンの間にガイドリブを設けた。
【００１５】
上記犬トイレの後部係止具の波形のシーツ押え部の両端部の凸部内に固定リブを設け、該固定リブが前記後部係止具を閉じたときに前記シーツ固定ピンに近接して位置するように構成した。
【００１６】
上記犬トイレの後部係止具の波形のシーツ押え部の両端部の凸部の内のり幅を他の凸部の内のり幅より狭く形成し、前記後部係止具を閉じたときに前記両端部の凸部の内壁が前記シーツ固定ピンに近接して位置するように構成した。
【００１７】
上記犬トイレの後部係止具を、波形のシーツ押え部に代えて、係止具本体の前部側の下面に複数の平板状のシーツ押えリブを設け、前記後部係止具を閉じたときに前記シーツ押えリブが前記シーツ固定ピンに近接して位置するように構成した。
【発明の効果】
【００１８】
本発明によれば、シーツの着脱がきわめて簡単で確実に固定することができ、取付けたシーツが外れたりすることがなく、その上故障のない犬トイレを得ることができる。
【発明を実施するための最良の形態】
【００１９】
［実施の形態１］
図１は本発明の実施の形態１に係る犬トイレの全体構成を示す斜視図、図２は図１の本体部の斜視図である。
両図において、１は例えば合成樹脂成形品からなるほぼ水平の床側部材２と、ほぼ垂直の壁側部材３とを、例えばほぞとほぞ穴により一体に結合してなるほぼＬ字状の本体部である。
【００２０】
床側部材２は、平坦でほぼ四角形のシーツ取付部２１と、前壁２２ａ、これより高い後壁２２ｂ及び両側壁２２ｃ，２２ｄとにより断面ほぼ凹字状に形成されており、両側壁２２ｃ，２２ｄは前壁２２ａのやや後方から前壁２２ａより高く形成され、その後部側は円弧状に高くなったのち、平坦部を介して後壁２２ｂに連続している。２３ａ，２３ｂは両側壁２２ｃ，２２ｄの後部側平坦部の上面に形成された半円状の凹部で、後述の壁側部材３の下面に形成された半円状の凹部４１ａ，４１ｂとにより後述の後部係止具の一例であるリアバックル４の支持軸５４を回動可能に支持する軸受部を形成する。
【００２１】
２４は床側部材２の前壁２２ａから側壁２２ｃ，２２ｄの前部にかけて形成されたフロントバックル（前部係止具）取付部で、前壁２２ａの前面側には装着部２５が突設されており、その両端部には前部係止具の一例であるフロントバックル６を回動可能に支持する軸受穴２６ａ，２６ｂ（２６ａは図示してない）が設けられている。２７ａ，２７ｂ（２７ａは図示してない）は前壁２２ａの両側に側壁２２ｃ，２２ｄに近接して設けたフロントバックル６の係止突部で、上面には傾斜面が形成されている。
【００２２】
シーツ取付部２１の前壁２２ａ側は若干低く形成され、その上面には左右方向に所定の間隔で複数のシーツ固定ピン２８が突設されている。また、シーツ取付部２１の後部側は徐々に低くなったのち後壁２２ｂの近傍は円弧状に盛上って円弧部３０となり、これらによりシーツ受け部２９が形成され、円弧部３０の上面には、左右方向に所定の間隔で複数のシーツ固定ピン３１が立設されている。そして、複数群のシーツ固定ピン３１の間には複数のガイドリブ３２が設けられている。３３ａ，３３ｂ（３３ａは図示してない）は側壁２２ｃ，２２ｄの外壁に設けた後述のリアバックル４の係止突部で、上面には傾斜面が形成されている。これらにより、リアバックル（後部係止具）取付部３４が形成される。
【００２３】
壁側部材３は、平坦でほぼ四角形のシーツ取付部３５と、これより高い上壁３６ａ及び側壁３６ｂ，３６ｃとにより断面ほぼ凹字状に形成されており、その下端部は床側部材２の後壁２２ｂ及び側壁２２ｃ，２２ｄと一体に結合されている。このとき、両側壁３６ｂ，３６ｃの下部は、床側部材２の両側壁２２ｃ，２２ｄと連続するようになっている。
【００２４】
また、上壁３６ａの両側及びこれに続く側壁３６ｂ，３６ｃの上部からなる角部は細く（薄く）形成され、後述の上部係止具の一例であるトップバックル７ａ，７ｂを装着するためのトップバックル（上部係止具）取付部３７ａ，３７ｂが設けられており、その外面側にはトップバックル７ａ，７ｂを回動可能に支持する支持軸３８ａ，３８ｂ（３８ａは図示していない）がそれぞれ設けられている。３９ａ，３９ｂはトップバックル取付部３７ａ，３７ｂの上面に設けたトップバックル７ａ，７ｂの係止突部、４０はトップバックル取付部３８ａ，３８ｂの内側において、シーツ取付部３５に突設した複数のシーツ固定ピンである。
【００２５】
４は本体部１のリアバックル取付部３４に装着されたリアバックルで、このリアバックル４は、図３に上面の要部を、図４に下面を示すように、床側部材２の側壁２２ｃ，２２ｄ間に収容しうる長さの上面部４３ａと、これに連続して斜め下方に延設された前面部４３ｂとからなる本体４２と、その両側に設けた床側部材２への取付腕５０ａ，５０ｂとからなっている。そして、本体４２の前面部４３ｂの下面には下方に開口する波形状のシーツ押え部４４が設けられており、その波形部の凸部４５は床側部材２のシーツ固定ピン３１にそれぞれ対応し、またガイドリブ３２に対応して波形部の凹部が切除された切除部４６が形成されている。４７は上面板４３ａの下面において、後面板４３ｂとシーツ押え部４４との間に設けられ、リアバックル４のたわみを防止する補強リブである。
【００２６】
左右の取付腕５０ａ，５０ｂ（以下、同じ構造なので一方の取付腕５０ａについて説明する）は、本体４２の端部にこれと直交して斜め前方に設けられた内板５１と、前部に設けた連結部５３を介してその外側に設けられた外板５２とを有し、内板５１と外板５２の間の後部側には支持軸５４が設けられている。５５は外板５２に設けられ、床側部材２の側壁２２ｃ，２２ｄに設けた係止突部３３ａ，３３ｂに係止する係合穴、５６はつまみである。なお、内板５１と外板５２との間は、床側部材２の側壁２２ｃ，２２ｄに嵌合しうる間隔になっている。
【００２７】
このように構成したリアバックル４は、床側部材２のリアバックル取付部３４上に配置され、その取付腕５０ａ，５０ｂの支持軸５４を側壁２２ｃ，２２ｄに設けた凹部２３ａ，２３ｂに嵌合する。ついで、床側部材２に壁側部材３を結合する。このとき、壁側部材３の下端部に設けた凹部４１ａ，４２ｂが凹部２３ａ，２３ｂと対向して位置し、両者により軸受部を形成してリアバックル４を回動可能に支持する。
【００２８】
そして、一方又は両方の取付腕５０ａ，５０ｂのつまみ５６を持って、リアバックル４を支持軸５４を中心に下方に向って回動すると、リアバックル４は閉じた状態になり、取付腕５０ａ，５０ｂの内板５１と外板５２は床側部材２の側壁２２ｃ，２２ｄに嵌合し、その係合穴５５が側壁２２ｃ，２２ｄの係止突部３３ａ，３３ｂにそれぞれ係止してその位置に保持固定される。このとき、シーツ押え部４４はシーツ受け部２９と僅かなすき間を隔てて対向し、シーツ固定ピン３１はシーツ押え部４４の凸部４５内に位置し、ガイドリブ３２は切除部４６内に位置する。
【００２９】
また、つまみ５６を持ってセンターバックル４を上方に向けて回動すると、係合穴５５が係止突部３３ａ，３３ｂから離脱して開いた状態になり、床側部材２のシーツ受け部２９とセンターバックル４のシーツ押え部４４との間は大きく開口される（このときの状態を図１に示す）。
【００３０】
図５はフロントバックル５の斜視図及び床側部材２のフロントバックル取付部２４の斜視図である。
フロントバックル６は、フロントバックル取付部２４の装着部２５に嵌合する断面ほぼコ字状の取付部６１と、ほぼ三角形状の天板６３ａと周壁６３ｂを有し、床側部材２の前壁２２ａと両側壁２２ｃ，２２ｄの境界となる角部２４ａ，２４ｂに嵌合される嵌合部６２ａ，６２ｂとからなり、嵌合部６２ａ，６２ｂの対向する周壁６３ｂには、頭部を有し装着部２５の両端部に設けた軸受穴２６ａ，２６ｂに回動可能に支持される支持軸６４ａ，６４ｂが設けられている。
【００３１】
６５ａ，６５ｂ（６５ａは図示してない）は嵌合部６２ａ，６２ｂの周壁６３ｂの外面側に設けられ、フロントバックル取付部２４の係止突部２７ａ，２７ｂに係止する係合穴、６６ａ，６６ｂ（６６ａは図示してない）は係合穴６５ａ，６５ｂの近傍に設けた手掛け部である。なお、取付部６１の上面部の背面には、床側部材２のシーツ取付部２１の前面側に設けたシーツ固定ピン２８にそれぞれ対応して嵌合穴６７が設けられている。
【００３２】
このフロントバックル６は、取付部６１を装着部２５に嵌合してその支持軸６４ａ，６４ｂを装着部２５の軸受穴２６ａ，２６ｂに嵌合することにより回動可能に支持される。そして、このフロントバックル６を図１に示すように閉じたときは、嵌合部６２ａ，６２ｂは角部２４ａ，２４ｂに嵌合され、係合穴６５ａ，６５ｂが係止突部２７ａ，２７ｂに係止してその位置に保持固定され、取付部６１に設けた嵌合穴６７はシーツ固定ピン２８に嵌合する。
手掛け部６６ａ，６６ｂに指を掛けてフロントバックル６を押し上げれば、係合穴６５ａ，６５ｂが係止突部２７ａ，２７ｂから離脱して支持軸６４ａ，６４ｂを中心に回動し、フロントバックル６は開いた状態になる。なお、手掛け部６６ａ，６６ｂに代えてつまみを設けてもよい。
【００３３】
図６はトップバックル７ａの背面斜視図及び壁側部材３のトップバックル取付部３７ａの背面斜視図である。なお、トップバックル７ａ，７ｂ、トップバックル取付部３７ａ，３７ｂは同じ構造なので、以下その一方（７ａと３７ａ）について説明する。
【００３４】
トップバックル７ａは、ほぼ三角形状の天板７１と周壁７２とからなり、周壁７２の下部には切除部７３が設けられて、その内側には壁側部材３の支持軸３８ａ，３８ｂに回動可能に嵌合する軸受部７４が設けられている。また、周壁７２の切除部７３に対向する位置には、壁側部材３の上壁３６ａに嵌合する切除部７５が設けられている。７６は壁側部材３のシーツ取付部３５に設けたシーツ固定ピン４０に嵌合する嵌合穴、７７は上壁３６ａに設けた係止突部３９ａに係止する係合穴である。
【００３５】
このトップバックル７ａは、壁側部材３の前面側からトップバックル取付部３７ａに配置され、その軸受部７４を支持軸３８ａに嵌合して回動可能に支持される。そして、図１に示すように、トップバックル７ａを閉じたときは、その係合穴７７が係止突部３９ａに係止して保持固定され、嵌合穴７６がシーツ固定ピン４０に嵌合する。
また、閉じられたトップバックル７ａを手前（前面側）に引くと、係合穴７７が係止突部３９ａから離脱して支持軸３８ａを中心に回動し、開放される。なお、トップバックル７ａ，７ｂに開放用の手掛け部やつまみを設けてもよい。
【００３６】
図１は上記のようなリアバックル４、フロントバックル６及びトップバックル７ａ，７ｂを、本体部１のそれぞれの取付部に取付けた状態を示すもので、リアバックル４は開いた状態を示し、フロントバックル６及びトップバックル７ａ，７ｂは閉じた状態を示す。
【００３７】
次に、上記のように構成した犬トイレのシーツの着脱手順の一例について説明する。
先ず、図７に示すように、リアバックル４、フロントバックル６及びトップバックル７ａ，７ｂをすべて開放する。そして、レギュラータイプ（例えば３６ｃｍ×３６ｃｍ）のシーツ８０ａ，８０ｂを表側を対向して重ね合わせ、床側部材２のシーツ取付部２１上に載置する。ついで、その後縁部をガイドリブ３２に沿って床側部材２のシーツ受け部２９とリアバックル４のシーツ押え部４４の間に挿入し、シーツ固定ピン３１上に位置させる。
【００３８】
そして、図８に示すように、取付腕５０ａ，５０ｂを回動してリアバックル４を閉じる。これにより、シーツ８０ａ，８０ｂの後縁部は、床側部材２のガイドリブ３２とリアバックル４のシーツ押え部４４の切除部４６、及びシーツ固定ピン３１と凸部４５との間に、それぞれ波状になって挟み込まれ、シーツ受け部２９に圧着されて固定される。
【００３９】
次に、図９に示すように、シーツ８０ｂを折返えし（又は先端部を持ち上げ）て、フロントバックル６を閉じる。これにより、シーツ８０ａの前縁部はシーツ固定ピン２８と取付部６１に設けた嵌合穴６７との間に挟まれて圧着され、固定される。
ついで、図１０に示すように、シーツ８０ｂを上方に折曲げてその上縁部をシーツ取付部３５に当接させ、トップバックル７ａ，７ｂを閉じる。これにより、シーツ８０ｂの上縁部両側は、シーツ固定ピン４０とトップバックル７ａ，７ｂの嵌合穴７６との間に挟まれて圧着され、固定される。
【００４０】
ワイドサイズのシーツ（例えば、長さがレギュラーサイズの２倍のもの）を使用する場合は、表側を内側にして長手方向の中央部から２つに折り、この折曲げ部をガイドリブ３２に沿ってシーツ受け部２９とリアバックル４のシーツ押え部４４との間に挿入し、上記と同様の手順により取付ければよい。
汚れたシーツを交換する場合は、上記と逆の手順によればよい。なお、上記の説明はシーツの着脱手順の一例を示すもので、適宜変更することができる。
【００４１】
上記の説明では、床用部材２の前面側から両側の角部２４ａ，２４ｂにかけてフロントバックル取付部２４を設け、ここにフロントバックル６を装着した場合を示したが、前面側の両角部２４ａ，２４ｂのみにフロントバックル取付部を設けると共に、その近傍のシーツ取付部２１にシーツ固定ピンを設け、このフロントバックル取付部にトップバックル７ａ，７ｂのような構造のフロントバックルをそれぞれ取付けるようにしてもよい。
【００４２】
また、壁側部材３の上部両側にそれぞれトップバックル７ａ，７ｂを設けた場合を示したが、このトップバックルは、例えばフロントバックル５と同様に、壁側部材３の上縁部に取付けられる取付部とその両側に嵌合する嵌合部とを一体に構成してもよい。
さらに、本体部１を、床側部材２に壁側部材３を固定してＬ字状に一体に構成した場合を示したが、例えば、床側部材２と壁側部材３を、リアバックル４に干渉しない位置においてヒンジで連結し、壁側部材３を折畳み可能に構成してもよい。
【００４３】
本実施の形態に係る犬トイレは、床側部材２と壁側部材３とによりほぼＬ字状に構成した本体部１に、シーツ８０ａ，８０ｂの後縁部を開閉可能なリアバックル４で固定し、床側部材２のシーツ取付部２１上に載置したシーツ８０ａの前縁部を開閉可能なフロントバックル６で固定し、さらに、折返えしたシーツ８０ｂの上縁部を開閉可能なトップバックル７ａ，７ｂで固定するようにしたので、シーツ８０ａ，８０ｂの着脱がきわめて簡単かつ確実であり、使い勝手のよい犬トイレを得ることができる。
【００４４】
また、壁側部材３に取付けたシーツ８０ｂは、その上縁部を固定ピン４０とトップバックル７ａ，７ｂに設けた嵌合部７６とにより挟み込んで固定するようにしたので、シーツ８０ｂが外れることがない。
さらに、各バックルにはばねを一切使用していないので、ばねの切損などによる故障を生ずることがない。
【００４５】
［実施の形態２］
図１２は本発明の実施の形態２に係る犬トイレのリアバックルの下面斜視図である。なお、実施の形態１と同じ部分にはこれと同じ符号を付し、説明を省略する。
本実施の形態に係るリアバックル４は、シーツ押え部４４の両端部の凸部４５ａ，４５ｂの内側に、下方に突出する固定リブ４８ａ，４８ｂを設けたものである。この固定リブ４８ａ，４８ｂは、図１３に示すように、リアバックル４を閉じたときに、両端部のシーツ固定ピン３１ａ，３１ｂ（３１ｂは図示してない）との間に、所定のすき間ｇ（実施例では、このすき間ｇを１ｍｍとした）を形成する位置（以下、シーツ固定ピン３１に近接した位置という）に設けられている。
【００４６】
本実施の形態においても、実施の形態１の場合と同様に、シーツ８０ａ，８０ｂの後端部は、床側部材２のガイドリブ３２とリアバックル４のシーツ押え部４４の切除部４６、及びシーツ固定ピン３１と凸部４５の間に波形状になって挟み込まれ、シーツ受け部２９に圧着されて固定されるが、さらに、シーツ８０ａ，８０ｂ（以下、単に８０と記す）の幅方向の両端部近傍は、図１３に示すように、シーツ固定ピン３１ａ，３１ｂと凸部４５ａ，４５ｂに設けた固定リブ４８ａ，４８ｂとの間に狭いすき間ｇに挟み込まれて強固に固定される。
【００４７】
図１４は本実施の形態に係るリアバックル４の他の例を示す下面斜視図である。
本例においては、シーツ押え部４４の両端部の凸部４５ａ，４５ｂの内のり幅ｗ1を、他の凸部４５の内のり幅ｗより狭く形成したものである。換言すれば、図１５に示すように、両端部のシーツ固定ピン３１ａ，３１ｂ（３１ｂは図示してない）と、凸部４５ａ，４５ｂ（４５ｂは図示してない）の外壁の内縁部との間に、図１２、図１３のリアバックル４の固定リブ４８ａ，４８ｂの場合と同様に、狭いすき間ｇを形成したものである。
【００４８】
リアバックル４のシーツ押え部４４の両端部の凸部４５ａ，４５ｂを上記のように構成しても、図１２、図１３の固定リブ４８ａ，４８ｂの場合と同様に、リアバックル４を閉じたときに、図１５に示すように、シーツ８０の幅方向の両端部近傍を強固に固定することができる。
【００４９】
本実施の形態においても、実施の形態１の場合と同様の効果が得られるが、さらに、シーツ８０の幅方向の両端部近傍を強固に固定するようにしたので、シーツ８０が動いたりシーツ押え部４４から外れたりすることがない。
【００５０】
［実施の形態３］
図１６は本発明の実施の形態３に係る犬トイレのリアバックルの上面要部の斜視図、図１７は下面斜視図である。なお、実施の形態１，２と同じ部分にはこれと同じ符号を付し、説明を省略する。
本実施の形態は、実施の形態１，２のリアバックル４の波形のシーツ押え部４４に代えて、シーツ押え部４４を複数の板状のシーツ押えリブ４９によって櫛歯状に形成したものである。
【００５１】
すなわち、本体４２の前面側の下面と補強リブ４７との間に、リアバックル４の長手方向と直交して、長手方向に所定の間隔（例えば、シーツ固定ピン３１と同じ間隔）で板状の複数のシーツ押えリブ４９を設け、床側部材２に設けたガイドリブ３２に対応してシーツ押えリブ４９を省略し、ガイドリブ３２への嵌入部４９ａを形成したものである。
そして、このシーツ押えリブ４９は、図１８に示すように、リアバックル４を閉じたときに、シーツ固定ピン３１に対して偏って設けられており、各シーツ固定ピン３１と各シーツ押えリブ４９との間に、所定のすき間ｇ（実施例では、すき間ｇを１ｍｍとした）が形成されるようになっている。
【００５２】
上記のように構成した本実施の形態において、リアバックル４を閉じると、図１８に示すように、シーツ８０はシーツ固定ピン３１とシーツ押えリブ４９とによりほぼ鋸歯状に挟まれ、また、シーツ押えリブ４９と、ガイドリブ３２と、シーツ固定ピン３１との間に挟まれて固定されるが、特に、各シーツ固定ピン３１と各シーツ押えリブ４９との間に形成された狭いすき間ｇに挟まれるので、シーツ８０はより強固に固定される。
【００５３】
本実施の形態においても、実施の形態１，２の場合と同様の効果が得られるが、さらに、各シーツ固定ピン３１と各シーツ押えリブ４９との間に形成された狭いすき間ｇにシーツ８０を挟み込むようにしたので、シーツ８０をより強固に固定することができる。
また、シーツ固定ピン３１とシーツ押えリブ４９との間には所定のすき間ｇが設けられているので、リアバックル４を閉じてシーツ８０を固定する際にシーツ８０にしわが寄ったり破れたりすることがない（実施の形態２の場合も同様である）。
さらに、シーツ押え部４４は板状のシーツ押えリブ４９によって形成されているので、リアバックル４の製作が容易である。
【００５４】
［実施の形態４］
図１９は本発明の実施の形態４に係るリアバックル４を開いた状態の犬トイレの斜視図、図２０は図１９の本体部の斜視図である。なお、実施の形態１と同じ部分にはこれと同じ符号を付し、説明を省略する。
実施の形態１〜３においては、床側部材２と壁側部材３とからなるＬ字状の犬トイレについて説明したが、本実施の形態は、周壁を有する平型タイプ（以下、平型犬トイレという）に関するものである。
【００５５】
本実施の形態に係る平型犬トイレ１ａは、実施の形態１の床側部材２とほぼ同じ構造の本体部２ａを有し、側壁２２ｃ，２２ｄの後部側上面に設けた凹部２３ａ，２３ｂに、リアバックル４の取付腕５０ａ，５０ｂの支持軸５４を嵌合したときは、例えばΩ状の固定具４１を取付けて軸受部を形成するようにしたものである。なお、この固定具４１は他の構造のものであってもよい。
【００５６】
上記のように構成した平型犬トイレ１ａにシーツを取付けるには、リアバックル４とフロントバックル６を開放し、シーツ（図示せず）の表側を上にしてシーツ取付部２１上に載置する。そして、シーツの後縁部をガイドリブ３２に沿ってシーツ受け部２９とリアバックル４のシーツ押え部４４との間に挿入し、シーツ固定ピン３１上に位置させる。この状態でリアバックル４を閉じれば、シーツの後縁部はガイドリブ３２とリアバックル４のシーツ押え部４４の切除部４６、及びシーツ固定ピン３１と凸部４５との間にそれぞれ波状になって挟み込まれ、シーツ受け部２９に圧着される。
【００５７】
ついで、フロントバックル６を閉じれば、シーツの前縁部はシーツ固定ピン２８と取付部６１に設けた嵌合穴６７との間に挟まれて固定される。
シーツを交換する場合は、上記と逆の手順によればよい。
【００５８】
上記の説明では、実施の形態１に係るリアバックル４によりシーツの後縁部を固定する場合を示したが、このリアバックル４に実施の形態２又は３に係るリアバックル４を用いてもよい。
また、平型犬トイレ１ａの前面側から両側の角部２４ａ，２４ｂにかけてフロントバックル取付部２４を設け、ここにフロントバックル６を装着した場合を示したが、前面側の両角部２４ａ，２４ｂのみにフロントバックル取付部を設け、このフロントバックル取付部に、実施の形態１で説明したトップバックル７ａ，７ｂのような構造のフロントバックルをそれぞれ取付けるようにしてもよい。なお、本実施の形態に係る平型犬トイレは、図示のものに限定するものではなく、後部側にリアバックル４を回動可能に装着できるものであれば、他の構造であってもよい。
【００５９】
本実施の形態によれば、シーツの後縁部を開閉可能なリアバックル４で固定し、前縁部を開閉可能なフロントバックル６で固定するようにしたので、シーツの着脱がきわめて簡単で、使い勝手のよい平型犬トイレを得ることができる。
【図面の簡単な説明】
【００６０】
【図１】本発明の実施の形態１に係るリアバックルを開いた状態の犬トイレの斜視図である。
【図２】図１の本体部の斜視図である。
【図３】図１のリアバックルの要部の上面斜視図である。
【図４】図１のリアバックルの下面斜視図である。
【図５】図１のフロントバックルの斜視図及びフロントバックル取付部の斜視図である。
【図６】図１のトップバックルの背面斜視図及びトップバックル取付部の背面斜視図である。
【図７】実施の形態１に係る犬トイレへのシーツの取付手順の一例の説明図である。
【図８】実施の形態１に係る犬トイレへのシーツの取付手順の一例の説明図である。
【図９】実施の形態１に係る犬トイレへのシーツの取付手順の一例の説明図である。
【図１０】実施の形態１に係る犬トイレへのシーツの取付手順の一例の説明図である。
【図１１】実施の形態１のリアバックルによるシーツの固定状態を示す図である。
【図１２】本発明の実施の形態２に係る犬トイレのリアバックルの下面斜視図である。
【図１３】図１２のリアバックルによるシーツの固定状態を示す説明図である。
【図１４】実施の形態２のリアバックルの他の例の下面斜視図である。
【図１５】図１４のリアバックルによるシーツの固定状態を示す説明図である。
【図１６】本発明の実施の形態３に係る犬トイレのリアバックルの要部の上面斜視図である。
【図１７】図１６の下面斜視図である。
【図１８】図１７のリアバックルによるシーツの固定状態を示す説明図である。
【図１９】本発明の実施の形態４に係るリアバックルを開いた状態の犬トイレの斜視図である。
【図２０】図１９の本体部の斜視図である。
【符号の説明】
【００６１】
１，２ａ  本体部、１ａ  平型犬トイレ、２  床側部材、３  壁側部材、４  後部係止具（リアバックル）、６  前部係止具（フロントバックル）、７ａ，７ｂ  上部係止具（トップバックル）、２１  シーツ取付部、２４  フロントバックル取付部、２６ａ，２６ｂ  軸受穴、２８，３１，４０  シーツ固定ピン、２９  シーツ受け部、３２  ガイドリブ、３４  リアバックル取付部、３５  シーツ取付部、３７ａ，３７ｂ  トップバックル取付部、３８ａ，３８ｂ  支持軸、４４  シーツ押え部、４５  凸部、４６  切除部、４８ａ，４８ｂ  固定リブ、４９  シーツ押えリブ、５０ａ，５０ｂ  取付腕、５４  支持軸、６４ａ，６４ｂ  支持軸、６７，６７  嵌合穴、７４  軸受部。
【図１】
2006101830.tif 000003
【図２】
2006101830.tif 000004
【図３】
2006101830.tif 000005
【図４】
2006101830.tif 000006
【図５】
2006101830.tif 000007
【図６】
2006101830.tif 000008
【図７】
2006101830.tif 000009
【図８】
2006101830.tif 000010
【図９】
2006101830.tif 000011
【図１０】
2006101830.tif 000012
【図１１】
2006101830.tif 000013
【図１２】
2006101830.tif 000014
【図１３】
2006101830.tif 000015
【図１４】
2006101830.tif 000016
【図１５】
2006101830.tif 000017
【図１６】
2006101830.tif 000018
【図１７】
2006101830.tif 000019
【図１８】
2006101830.tif 000020
【図１９】
2006101830.tif 000021
【図２０】
2006101830.tif 000022